(57)【特許請求の範囲】
【請求項１】
櫛状の刃部を備えた固定刃と、櫛状の刃部を備えて往復駆動される可動刃と、可動刃の往復駆動用の駆動手段を内蔵する本体と、上記固定刃と可動刃の先端刃部に被さるとともに可動刃の往復動方向と直交する刃先方向にスライド自在な刈り高さ調整用のアタッチメントと、上記本体に対して上記スライド方向と略直交する方向に回転自在に配された操作リングとを備え、上記スライド自在なアタッチメントと上記操作リングのいずれか一方に螺旋状のカム溝が設けられ、他方に上記カム溝内を摺動する連動ピンが設けられて、操作リングの上記回転で上記カム溝内を連動ピンが移動することで上記アタッチメントがスライドして刈り高さ調整がなされるバリカンであって、
上記アタッチメントのスライド方向と斜めに交叉する上記カム溝における対向する一対の長手縁のうちの少なくとも一方は、上記スライド方向と略直交する複数のステップ部と、上記スライド方向と斜めに交叉して上記複数のステップ部間をつなぐスロープ部とを備えた階段状となっており、上記連動ピンは一方の長手縁のステップ部に位置する状態で設定された刈り高さを保持するものであり、
上記螺旋状のカム溝は溝幅が異なる平行な多条で設けられているとともに、上記連動ピンは複数が設けられて太さが異なる連動ピンが上記多条の各カム溝内を夫々摺動するものであることを特徴とするバリカン。
【請求項２】
上記ステップ部とスロープ部とを備える長手縁は、アタッチメントを押し戻す方向の力がアタッチメントに加えられたときに連動ピンが接する側の長手縁であることを特徴とする請求項１記載のバリカン。
【請求項３】
上記カム溝における対向する一対の長手縁の両方が、上記スライド方向と略直交する複数のステップ部と、上記スライド方向と斜めに交叉して上記複数のステップ部間をつなぐスロープ部とを備えた階段状であり、上記連動ピンは一方の長手縁のステップ部と他方の長手縁のステップ部との間に位置する状態で設定された刈り高さを保持するものであることを特徴とする請求項１記載のバリカン。
【請求項４】
上記アタッチメントが、上記カム溝または連動ピンを備えたスライダー部と、上記固定刃と可動刃の先端刃部に被さるアタッチメント部とからなり、スライダー部に対してアタッチメント部がスライダー部のスライド移動の任意位置で着脱自在に連結されていることを特徴とする請求項１〜３のいずれか１項に記載のバリカン。
【発明の詳細な説明】
【技術分野】
【０００１】
本発明は、バリカン、殊に刈り高さ調整機能を備えたバリカンに関するものである。
【背景技術】
【０００２】
櫛状の固定刃と、この固定刃に対して往復駆動される櫛状の可動刃とで頭髪のカットを行う電動型のバリカンにおいて、装着したアタッチメントによって刈り高さの調整を行えるようにしたものがある。
【０００３】
バリカンの刃部を覆う櫛部材を備えた上記アタッチメントは、刃部と人体の肌との間に間隔を確保するものであり、アタッチメントの装着位置を変更することで刈り高さの調整を可能としている。
【０００４】
この種のバリカンにおいて、アタッチメントの装着位置変更をラッチ機構によって行うものでは、アタッチメントを肌に押しつけた時にアタッチメントの位置がずれて刈り高さが変わってしまう虞を有している。
【０００５】
特許文献１には、モータを内蔵する本体に操作リングを軸回りに回転自在且つ軸方向にスライド自在に配置し、操作リングの内周面に設けた螺旋状のカム溝に上記本体外周面から突出させたピン状の突起を係合させ、さらに櫛部材を備えたアタッチメントを操作リングの先端に連結したものが示されている。操作リングを回転させれば、上記螺旋状のカム溝と突起との係合によって操作リングがその軸方向に移動することで、アタッチメントの位置を変更する。
【０００６】
この場合、螺旋状のカム溝と突起とによって、回転と軸方向移動との運動変換を行っている関係で、アタッチメントを押しても不用意に後退して刈り高さが大きく変換してしまうようなことはない。
【０００７】
しかし、螺旋状のカム溝はその長手方向の内壁が操作リングの軸方向（スライド方向）と斜交する斜面となっているために、肌面にアタッチメントを押し付けた際の荷重や，モータの振動等によるアタッチメントの位置ずれ、あるいは肌に対するアタッチメントの押し付け方向が本体長手方向に対して略平行でない状態において発生するアタッチメントの傾き等で、刈り高さの精度が悪化する可能性があった。
【先行技術文献】
【特許文献】
【０００８】
【特許文献１】特開平１−２１４３８８号公報
【発明の概要】
【発明が解決しようとする課題】
【０００９】
本発明はこのような点に鑑みなされたものであって、刈り高さの調整が容易であると同時に設定した刈り高さを精確に保つことができるバリカンを提供することを課題とするものである。
【課題を解決するための手段】
【００１０】
本発明は、櫛状の刃部を備えた固定刃と、櫛状の刃部を備えて往復駆動される可動刃と、可動刃の往復駆動用の駆動手段を内蔵する本体と、上記固定刃と可動刃の先端刃部に被さるとともに可動刃の往復動方向と直交する刃先方向にスライド自在な刈り高さ調整用のアタッチメントと、上記本体に対して上記スライド方向と略直交する方向に回転自在に配された操作リングとを備え、上記スライド自在なアタッチメントと上記操作リングのいずれか一方に螺旋状のカム溝が設けられ、他方に上記カム溝内を摺動する連動ピンが設けられて、操作リングの上記回転で上記カム溝内を連動ピンが移動することで上記アタッチメントがスライドして刈り高さ調整がなされるバリカンであって、上記アタッチメントのスライド方向と斜めに交叉する上記カム溝における対向する一対の長手縁のうちの少なくとも一方は、上記スライド方向と略直交する複数のステップ部と、上記スライド方向と斜めに交叉して上記複数のステップ部間をつなぐスロープ部とを備えた階段状となっており、上記連動ピンは一方の長手縁のステップ部に位置する状態で設定された刈り高さを保持するものであり、上記螺旋状のカム溝は溝幅が異なる平行な多条で設けられているとともに、上記連動ピンは複数が設けられて太さが異なる連動ピンが上記多条の各カム溝内を夫々摺動するものであることに特徴を有している。
【００１１】
上記ステップ部とスロープ部とを備える長手縁は、アタッチメントを押し戻す方向の力がアタッチメントに加えられたときに連動ピンが接する側の長手縁であることが好ましい。
【００１２】
上記カム溝における対向する一対の長手縁の両方が、上記スライド方向と略直交する複数のステップ部と、上記スライド方向と斜めに交叉して上記複数のステップ部間をつなぐスロープ部とを備えた階段状であり、上記連動ピンは一方の長手縁のステップ部と他方の長手縁のステップ部との間に位置する状態で設定された刈り高さを保持するものであることがさらに好ましい。
【００１５】
さらには、上記アタッチメントが、上記カム溝または連動ピンを備えたスライダー部と、上記固定刃と可動刃の先端刃部に被さるアタッチメント部とからなり、スライダー部に対してアタッチメント部がスライダー部のスライド移動の任意位置で着脱自在に連結されていることが好ましい。
【発明の効果】
【００１６】
本発明においては、操作リングを回転させることによって刈り高さを容易に変更することができるものであり、しかも操作リングとスライダーのいずれか一方に設けたカム溝の対向する対の長手縁を共に階段状としているために、設定した刈り高さを保持する位置における連動ピンの可動域が小さく、従って設定した刈り高さを精確に保持することができる。
【図面の簡単な説明】
【００１７】
【図１】本発明の実施の形態の一例を示すもので、(a)は破断斜視図、(b)はその部分拡大図である。
【図２】同上のバリカンの本体を示すもので、(a)は斜視図、(b)はヘッド部を外した状態の斜視図である。
【図３】同上のアタッチメントの斜視図である。
【図４】同上のアタッチメント部の斜視図である。
【図５】同上のスライダー部の側面図である。
【図６】（a)は操作リングとスライダー部とを示す水平断面図、(b)は操作リングとスライダー部の縦断面図である。
【図７】アタッチメントを最も後退させた状態を示すもので、(a)は操作リングとスライダー部の側面図、(b)はヘッドカバーを外した状態の斜視図である。
【図８】アタッチメントがスライド中間位置にある状態を示すもので、(a)は操作リングとスライダー部の側面図、(b)はヘッドカバーを外した状態の斜視図である。
【図９】アタッチメントを突き出した状態を示すもので、(a)は操作リングとスライダー部の側面図、(b)はヘッドカバーを外した状態の斜視図である。
【発明を実施するための形態】
【００１８】
以下本発明を図示の実施例に基づいて詳述すると、図示例のバリカンは、モータ１０を内蔵するとともに先端寄りの部分に円筒状の操作リング４が配されている本体１と、本体１の先端側に着脱自在に被せられるヘッド部３とからなるもので、ヘッド部３は本体１の先端部に被せられるカバーブロック３１と、このカバーブロックに着脱自在とされている刃ブロック３２とからなる。図中１１は電源スイッチである。
【００１９】
刃ブロック３は、櫛歯状の刃部を備えた固定刃と、同じく櫛歯状の刃部を備えた可動刃とを備え、上記可動刃は本体１の先端面に配されて前記モータ１０の出力軸に取り付けられた偏心軸１５と係合することで、モータ１０の回転に伴って固定刃に対して摺接する往復動を行う。
【００２０】
このバリカンに装着される刈り高さ調整用のアタッチメント５は、図３に示すように、リング状のスライダー部５１と、アタッチメント部５５とからなる。スライダー部５１は、上記操作リング４の内周側に配されるもので、２条のカム溝６，６を外周面に備えるとともに、先端側に突出する一対のアーム部５２，５２を備えている。
【００２１】
アタッチメント部５５は、前記刃ブロック３２の先端刃部に被さる櫛部５６を備えたもので、後方側に向けて突出する一対の連結アーム５７，５７の各端部には、上記アーム部５２，５２のフック部５３，５３と係合してスライダー部５１に連結される被係合部５８，５８を備えている。なお、上記アーム部５２，５２は、ヘッド部３のカバーブロック３１に設けた貫通孔３５内に位置するとともに、この貫通孔３５内で上記連結アーム５７に連結される。
【００２２】
アタッチメント５のスライダー部５１の外周側に位置する操作リング４は、本体１に対して軸回りの回転が自在に配設されており、その内周面には２つの連動ピン４１，４１を備えている。一方の連動ピン４１はスライダー部５１外周面に形成された２条のカム溝６のうちの一方に係合し、他方の連動ピン４１は他方のカム溝６に係合する。そして、スライダー部５１に設けられた２条のカム溝６は、操作リング４の軸方向に対して傾いている螺旋状であるために、操作リング４をその軸回りに回転させる操作に伴ってスライダー部５１は前後動を行い、これに伴ってスライダー部５１に連結されたアタッチメント部５５も前後動を行う。アタッチメント部５５のこの前後動は、刃ブロック３２の刃部と、アタッチメント部５５の櫛部５６との間隔を変化させるために、櫛部５６を肌に当接させた状態で刃部によって毛の切断を行う時、刈り高さも変換する。
【００２３】
ここにおいて、各カム溝６，６の上記軸方向に位置する一対の長手縁６０，６０は、共に階段状のものとして形成されている。すなわち、図５に示すように、上記長手縁６０，６０は操作リング４の上記軸方向（スライダー部５１のスライド方向）とほぼ直交するステップ部６１と、上記軸方向において異なる位置に設けられた複数の上記ステップ部６１を順次つないでいる複数のスロープ部６２とを備えたものとなっている。
【００２４】
そして、断面が円形（もしくは楕円形あるいは多角形）となっている連動ピン４１は、カム溝６における一方の長手縁６０におけるいずれかのステップ部６１と、該ステップ部６１と軸方向において対向する位置にある他方の長手縁６０のステップ部６１との間に位置する時、刈り高さを設定状態に保持し、対の長手縁６０，６０におけるスロープ部６２，６２間を通過して他の対向するステップ部６１，６１間に移動することで他の刈り高さの設定状態に移行する。ちなみに、図示例のものでは刈り高さをほぼ０．５ｍｍ刻みで２０段ほど変化させることができるようにしている。このように細かく調整できるようにしているのは、毛髪だけでなく、髭のトリミングにも用いることを想定しているためである。
【００２５】
カム溝６の対の長手縁６０，６０を階段状としていることから、刈り高さの設定状態においては、軸方向において対向するステップ部６１，６１間に連動ピン４１が挟まれた状態にある。このために、スライダー部５１のスライド方向におけるクリアランスをきわめて小さくすることができるものであり、しかも操作リング４が回転方向に少々ずれ動いても、連動ピン４１は対向するステップ部６１，６１の間にあってスライダー部５１を軸方向に動かす力を発生することがないために、設定した刈り高さを精確に保持することができる。
【００２６】
本体１側面部に操作リング４の外周部を覆う延出部１２，１２を設けて、操作リング４の露出部分を減らしているのは、不用意に操作リング４を回してしまう虞を少なくするためである。
【００２７】
なお、ここでは操作リング４側に連動ピン４１を設け、スライダー部５１にカム溝６を設けたものを示したが、操作リング４の内周側にカム溝６を設け、スライダー部５１の外周に連動ピン４１を設けたものであってもよい。
【００２８】
また、ここではカム溝６における軸方向の一対の長手縁６０，６０を共に階段状としたものを示したが、いずれか一方の長手縁６０，６０のみを階段状としてもよい。ただし、階段状とする長手縁６０は、アタッチメント５を肌に押し当てた時に連動ピン４１が接する側の長手縁６０とするのが好ましい。つまり、スライダー部５１にカム溝６を設ける場合は、アタッチメント部５５側の長手縁６０を階段状とし、操作リング４にカム溝６を設ける場合は、アタッチメント部５５と反対側の長手縁６０を階段状とするのが好ましい。
【００２９】
さらには、カム溝６におけるステップ部６１は、必ずしも直線縁である必要はなく、曲線で構成されたものであってもよい。
【００３０】
図示例において、カム溝６を１８０°位相をずらした２条で設けているのは、アタッチメント５の前後動による刈り高さをよりスムーズに行えるようにするためであるが、図示例における２条のカム溝６，６の幅（連動ピン４１，４１の太さ）を異ならせているのは、一対のアーム５２，５２の位置が片側に寄っていて対称位置にないことから、組立間違いを防ぐためである。
【００３１】
ところで、アタッチメント５をアタッチメント部５５とスライダー部５１とに分離しているのは、アタッチメント部５５を取り外すことができるようにしているためであるが、スライダー部５１の連結用のアーム５２は、カバーブロック３１の前記貫通孔３５内において内側に撓み得るようにしているために、スライダー部５１に対するアタッチメント部５５の着脱は、刈り高さ調整位置がどの位置にあっても行うことができる。
【００３２】
つまりは、刈り高さを好みの状態にセットしたままで、アタッチメント部５５の取り付け取り外しを行うことができるものであり、刈り高さを最大にした状態でなければアタッチメント部５５の着脱を行うことができないものに比して、使い勝手がきわめて良好である。
【００３３】
なお、着脱が容易であるとはいえ、アタッチメント部５５とスライダー部５１との連結がカバーブロック３１の貫通孔３５内においてなされるために、不用意に外れたりすることはなく、またアタッチメント部５５を肌に押しつけても、アーム５２の先端がアタッチメント部５５を支持するために、アタッチメント５５が後退してしまうことはない。さらにアタッチメント部５５を取り外した時、スライダー部５１のアーム５２はカバーブロック３１に覆われていて外部に露出しないために、アーム５２が毛に引っ掛かってしまうようなこともない。
【符号の説明】
【００３４】
１  本体
３  ヘッド部
４  操作リング
５  アタッチメント
６  カム溝
４１  連動ピン
６０  長手縁
６１  ステップ部
６２  スロープ部
【図１】
0005923750.tif 000002
【図２】
0005923750.tif 000003
【図３】
0005923750.tif 000004
【図４】
0005923750.tif 000005
【図５】
0005923750.tif 000006
【図６】
0005923750.tif 000007
【図７】
0005923750.tif 000008
【図８】
0005923750.tif 000009
【図９】
0005923750.tif 000010